(57)【要約】【課題】運転を制御する制御装置を備えた洗濯機において、自動実装可能な一般のスイッチを使用しても、トップカバーに設けた操作ボタンを操作する押し力を安定させるとともに、特殊な導光部材を必要とせずに発光ダイオードの光漏れを防止する。【解決手段】洗濯機本体の上方を覆う上部枠体の前面にトップカバー１５を配設し、このトップカバー１５の内部に電源部１８ａと操作表示部１８ｂとを有する制御装置１８を配設し、制御装置１８は、操作表示部１８ｂを電源部１８ａより高い位置に配置する。【選択図】　図１
2004081649.tif 000002
【特許請求の範囲】
【請求項１】
洗濯機本体と、この洗濯機本体の上方を覆う上部枠体と、この上部枠体の前面に配設したトップカバーと、このトップカバーの内部に配設した電源部と操作表示部とを有する制御装置とを備え、前記制御装置は、前記操作表示部を電源部より高い位置に配置した洗濯機。
【請求項２】
制御装置は、電源部と操作表示部の間に仕切り部を設けた保護ケース内に収納し、前記電源部、操作表示部それぞれにウレタン樹脂等よりなる防湿材を充填し防湿処理を施して保護ケース一体型制御装置を構成し、前記操作表示部の防湿材の充填高さを電源部の防湿材の充填高さより低くした請求項１記載の洗濯機。
【請求項３】
電源部と操作表示部の間の保護ケースの仕切り部に、操作表示部の防湿材充填高さまでの切欠き部を設けた請求項２記載の洗濯機。
【請求項４】
保護ケースの下部に突起部を設け、保護ケースが水平になるようにした請求項２または３記載の洗濯機。
【発明の詳細な説明】
【０００１】
【発明の属する技術分野】
本発明は、運転を制御する制御装置を備えた洗濯機に関するものである。
【０００２】
【従来の技術】
従来、この種の洗濯機は図４に示すように構成していた。以下、その構成について説明する。
【０００３】
図４に示すように、制御装置１は、洗濯機の運転を制御するもので、プリント配線板２に各種電子部品を実装し、保護ケース３内に収納しており、防湿材４により防湿処理して保護ケース一体型制御装置５を構成している。
【０００４】
トップカバー６は、洗濯機本体の上方を覆う上部枠体（いずれも図示せず）の前面に配設し、このトップカバー６の前面内面に保護ケース一体型制御装置５をビス等により直接取り付け、トップカバー６の前面に形成した操作ボタン７を押すことによって、制御装置１に設けたスイッチ８を作動させ、運転を選択し、選択したコースや運転状況を制御装置１に設けた発光ダイオード９の光を導光部材１０を通してトップカバー６の所定の個所を点灯させる構成になっている。
【０００５】
また、制御装置１は、制御回路全体への電源を供給するトランス１１とモータ（図示せず）を駆動する双方向性サイリスタ１２を設けている。
【０００６】
【発明が解決しようとする課題】
しかしながら上記従来の構成では、プリント配線板２上に実装された電子部品がトップカバー６に当たらない構成にするため、トランス１１や双方向性サイリスタ１２等の高さが高い部品によりプリント配線板２の位置が決定され、発光ダイオード９とスイッチ８の位置とトップカバー６の位置が遠く離れてしまう。
【０００７】
また、近年の洗濯機の高機能化により、発光ダイオード９とスイッチ８等をトップカバー６の前面いっぱいに配列するようになってきており、保護ケース一体型制御装置５の形状も細長く、防湿材４の硬化工程（約８０℃で１時間）での反りの発生も大きくなっている。よって、スイッチ８と操作ボタン７の高さ寸法が定まらず、操作ボタン７の操作感が安定しないという問題を有していた。
【０００８】
また、発光ダイオード９やスイッチ８は高さが低い部品が一般的であるにもかかわらず、トップカバー６との位置が遠く離れているために、自動実装機で実装できないような高さが高い特殊なスイッチを手動にて実装したり、導光部材１０を使用しないと発光ダイオード９の光が漏れてしまうため、余分なコストが必要になるという問題も有していた。
【０００９】
また、防湿材４はその機能上、部品のリードをすべて埋める必要がある。よって、防湿材４の充填高さは、プリント配線板２上に部品リードが最も出ている高さに合わせる必要があった。つまり、双方向性サイリスタ１２等は絶縁距離が必要である上、放熱板等に取り付けるのが一般的であり、部品リードがプリント配線板２上に最も出ており、発光ダイオード９やスイッチ８等は部品リードがプリント配線板２上からあまり出ていないにもかかわらず、全体を同じ高さまで防湿材４を充填するので、不経済であるという問題も有していた。
【００１０】
本発明は上記課題を解決するもので、自動実装可能な一般のスイッチを使用しても、トップカバーに設けた操作ボタンを操作する押し力を安定させるとともに、特殊な導光部材を必要とせずに発光ダイオードの光漏れを防止することを目的としている。
【００１１】
【課題を解決するための手段】
本発明は上記目的を達成するために、洗濯機本体の上方を覆う上部枠体の前面にトップカバーを配設し、このトップカバーの内部に電源部と操作表示部とを有する制御装置を配設し、制御装置は、操作表示部を電源部より高い位置に配置したものである。
【００１２】
これにより、トップカバーと操作表示部を近づけることができ、自動実装可能な一般のスイッチを使用しても、トップカバーに設けた操作ボタンを操作する押し力を安定させることができるとともに、特殊な導光部材を必要としなくても発光ダイオードの光を漏らさずにトップカバーの発光面を確実に発光させることができる。
【００１３】
【発明の実施の形態】
本発明の請求項１に記載の発明は、洗濯機本体と、この洗濯機本体の上方を覆う上部枠体と、この上部枠体の前面に配設したトップカバーと、このトップカバーの内部に配設した電源部と操作表示部とを有する制御装置とを備え、前記制御装置は、前記操作表示部を電源部より高い位置に配置したものであり、トップカバーと操作表示部を近づけることができ、自動実装可能な一般のスイッチを使用しても、トップカバーに設けた操作ボタンを操作する押し力を安定させることができるとともに、特殊な導光部材を必要としなくても発光ダイオードの光を漏らさずにトップカバーの発光面を確実に発光させることができる。
【００１４】
請求項２に記載の発明は、上記請求項１に記載の発明において、制御装置は、電源部と操作表示部の間に仕切り部を設けた保護ケース内に収納し、前記電源部、操作表示部それぞれにウレタン樹脂等よりなる防湿材を充填し防湿処理を施して保護ケース一体型制御装置を構成し、前記操作表示部の防湿材の充填高さを電源部の防湿材の充填高さより低くしたしたものであり、全体を同じ高さに防湿材を充填するのではなく、必要に応じた高さに防湿材を充填することができ、防湿材の経済性を高めることができる。
【００１５】
請求項３に記載の発明は、上記請求項２に記載の発明において、電源部と操作表示部の間の保護ケースの仕切り部に、操作表示部の防湿材充填高さまでの切欠き部を設けたものであり、操作表示部側に防湿材を規定量以上充填した場合においても、その分が電源部側に流れるため、操作表示部側は規定高さ以上に充填されることがなく、スイッチの接触不良の発生を防ぐことができる。
【００１６】
請求項４に記載の発明は、上記請求項２または３に記載の発明において、保護ケースの下部に突起部を設け、保護ケースが水平になるようにしたものであり、特殊な冶具等を用いることなく防湿材を水平に充填することができる。
【００１７】
【実施例】
以下、本発明の一実施例について、図面を参照しながら説明する。
【００１８】
図１および図２に示すように、洗濯機本体１３の上方を上部枠体１４により覆い、この上部枠体１４の前面にトップカバー１５を配設しており、このトップカバー１５の内部に保護ケース一体型制御装置１６を配設している。保護ケース一体型制御装置１６は、保護ケース１７内に制御装置１８を収納し、ウレタン樹脂等よりなる防湿材１９を充填し、硬化させて防湿処理を施し、構成している。
【００１９】
保護ケース１７は、ポリプロピレン樹脂、ＡＢＳ樹脂などの熱可塑性樹脂により、上面開口で略長方形の有底に形成している。制御装置１８は、配線パターンを形成したプリント配線板２０に電子部品を実装しており、電源部１８ａと操作表示部１８ｂとで構成している。
【００２０】
電源部１８ａは、制御装置１８全体への電源を供給するトランス２１と、モータ（図示せず）を駆動する放熱板に固定された双方向性サイリスタ２２とで構成し、部品の高さも全体的に高く、約３０ミリ程度であるのが一般的である。操作表示部１８ｂは、発光ダイオード２３とスイッチ２４とで構成し、一般的に自動実装できる部品として約１５ｍｍ程度であるのが一般的である。ここで、操作表示部１８ｂを電源部１８ａより高い位置、すなわち、トップカバー１５に近い位置に配置し、それぞれをフラットケーブル２５で電気的に接続している。
【００２１】
また、保護ケース１７は、図３に示すように、電源部１８ａと操作表示部１８ｂとの間を仕切る仕切り部２６を設けており、この仕切り部２６により、電源部１８ａを収納する電源部収納部２７ａおよび操作表示部１８ｂを収納する操作表示部収納部２７ｂを構成している。
【００２２】
これら電源部収納部２７ａ、操作表示部収納部２７ｂは底面の深さが異なり、電源部収納部２７ａは、操作表示部収納部２７ｂより深く、電源部１８ａを収納した状態で、電源部１８ａのプリント配線板２０ａから約５ｍｍの高さまで防湿材１９ａを充填している。操作表示部収納部２７ｂは、電源部収納部２７ａより浅く、深さ約１５ｍｍで、操作表示部１８ｂを収納し、操作表示部１８ｂのプリント配線板２０ｂから約３ｍｍの高さまで防湿材１９ｂを充填し、操作表示部１７ｂの防湿材１９ｂの充填高さを電源部１８ａの防湿材１９ａの充填高さより低くしている。
【００２３】
そして、この仕切り部２６に切欠き部２８を設けており、切欠き部２８の深さは操作表示部１８ｂの防湿材１９ｂの充填高さであるプリント配線板２０ｂから約３ｍｍの高さとしている。また、保護ケース１７の操作表示部収納部２７ｂの底面下部に約１５ｍｍの突起部２９を設け、保護ケース１７が水平になるようにしている。
【００２４】
上記構成において作用を説明すると、操作表示部収納部２７ｂの深さを電源部収納部２７ａより浅くしているので、操作表示部１８ｂをトップカバー１５に近づけるよう操作表示部収納部２７ｂに収納できて、操作表示部１８ｂを電源部１８ａより高い位置に配置できるため、自動実装が可能な高さのスイッチ２４で構成することが可能となり、防湿材１９ａ、１９ｂの硬化で反りが発生しても、スイッチ２４とトップカバー１５に設けた操作ボタン３０の高さや位置が安定し、操作ボタン３０の操作感を安定させることができる。
【００２５】
また、導光部材等を使用しなくてもトップカバー１５に構成した位置決めガイド３１程度で発光ダイオード２３の光漏れをなくすことができ、トップカバー１５の所望の発光面のみを光らせることができる。
【００２６】
また、保護ケース１７内に仕切り部２６を設け、電源部収納部２７ａと操作表示部収納部２７ｂにそれぞれ必要な高さまで防湿材１９ａ、１９ｂを充填することができるので、防湿材１９ａ、１９ｂの総量を少なくすることができ、防湿材１９ａ、１９ｂの経済性を高めることができる。
【００２７】
また、保護ケース１７内の仕切り部２６に、操作表示部１８ｂの防湿材１９ｂの充填高さであるプリント配線板２０ｂから約３ｍｍの高さまでの切欠き部２８が設けているので、万一、操作表示部１８ｂ側に防湿材１９ｂを規定量以上充填した場合においても、その分が電源部１８ａ側に流れるため、操作表示部１８ｂ側は３ｍｍ以上充填されることがなく、スイッチ２４の接触不良の発生を防ぐことができる。
【００２８】
また、保護ケース１７の操作表示部収納部２７ｂの底面下部に約１５ｍｍの突起部２９を設け、保護ケース１７が水平になるようにしているので、保護ケース１７単品を水平に置くことができ、特殊な冶具等を用いることなく防湿材１９ａ、１９ｂを水平に充填することができる。
【００２９】
なお、本実施例においては、上部枠体１４の前面の一部をトップカバー１５として構成したが、上部枠体１４とトップカバー１５が一体であってもよく、同様に効果を得ることができるのはいうまでもない。
【００３０】
【発明の効果】
以上のように、本発明の請求項１記載の発明によれば、洗濯機本体の上方を覆う上部枠体の前面にトップカバーを配設し、このトップカバーの内部に電源部と操作表示部とを有する制御装置を配設し、制御装置は、操作表示部を電源部より高い位置に配置することにより、トップカバーと操作表示部を近づけることができ、自動実装可能な一般のスイッチを使用しても、トップカバーに設けた操作ボタンを操作する押し力を安定させることができるとともに、導光部材を必要としなくても発光ダイオードの光を漏らさずにトップカバーの発光面を確実に発光させることができる。
【図面の簡単な説明】
【図１】本発明の一実施例の洗濯機の要部断面図
【図２】同洗濯機の一部切欠した斜視図
【図３】同洗濯機の保護ケースの斜視図
【図４】従来の洗濯機の要部断面図
【符号の説明】
１３　洗濯機本体
１４　上部枠体
１５　トップカバー
１８　制御装置
１８ａ　電源部
１８ｂ　操作表示部
【図１】
2004081649.tif 000003
【図２】
2004081649.tif 000004
【図３】
2004081649.tif 000005
【図４】
2004081649.tif 000006